(57)【要約】【課題】固定強度を維持した状態で、成形加工性、組み立ての作業性、及び意匠性が良好であり、ヒケが生じないので外観品位が良好であり、小型化が可能である表示装置、及び該表示装置を備えるテレビジョン受信機を提供する。【解決手段】テレビジョン受信機は、前側に表示面を有する表示部と、フロントカバー５並びにリアカバー７の上側及び下側の端縁部同士が接合されて、軸方向が横方向に一致する筒状をなし、スピーカユニットを内蔵したスピーカ部１５とを備える。フロントカバー５の箱部５１のテーパ部５１２、５１３の端縁部の内側に、該端縁部との間で、リアカバー７の対応する端縁部を挟持する複数の突起部５５、５６が設けられている。【選択図】図１４
2016066952.tif 000002
【特許請求の範囲】
【請求項１】
前側に表示面を有する表示部と、前側筒半体並びに後側筒半体の上側及び下側の端縁部同士が接合されて、軸方向が横方向に一致する筒状をなし、スピーカを内蔵したスピーカ部とを備える表示装置において、
前記前側筒半体の一方の前記端縁部の内側に、該端縁部との間で、前記後側筒半体の対応する端縁部を挟持する複数の突起部を備えることを特徴とする表示装置。
【請求項２】
前記前側筒半体の他方の前記端縁部の内側に、該端縁部との間で前記後側筒半体の対応する端縁部を挟持する複数の突起部を備えることを特徴とする請求項１に記載の表示装置。
【請求項３】
前記後側筒半体は、内側に前記スピーカを収納する枠状の収納部を備え、
該収納部の縁部は、前記前側筒半体側に突出しており、
前記前側筒半体の両端縁部と各突起部との間に、前記縁部を挟持してあることを特徴とする請求項２に記載の表示装置。
【請求項４】
緩衝材が前記縁部を被覆していることを特徴とする請求項３に記載の表示装置。
【請求項５】
請求項１から４までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、前側に表示面を有する表示部と、筒状の筐体にスピーカユニットを内蔵してなるスピーカ部とを備える表示装置、並びに該表示装置を備えるテレビジョン受信機に関する。
【背景技術】
【０００２】
例えば液晶表示装置を備える液晶テレビジョン受信機等のテレビジョン受信機（以下、ＴＶ受信機という）は、前側で映像を表示する表示パネル、及び表示パネルの後側に光を照射するバックライトユニットを有する表示モジュールと、表示モジュールの前後を挟むようにして収容するフロントキャビネット及びリアキャビネットと、スタンドとを備える。表示モジュールは、全体として横長の略直方体状をなし、縦姿勢でフロントキャビネット及びリアキャビネットに収容されている。
【０００３】
ＴＶ受信機の正面下部にスピーカを配置する場合、音質を向上させるために、フロントキャビネットにスピーカを配置するのではなく、スピーカボックス（スピーカ部）を配置することがある。
スピーカ部は、前側筒半体（フロントカバー）及び後側筒半体（リアカバー）の上側及び下側の端縁部同士が接合されて筒状をなす筐体内に、スピーカ（スピーカユニット）を内蔵してなる。スピーカ部は軸方向が横方向に一致する状態で表示モジュールの下側に取り付けられる。
【０００４】
フロントカバー及びリアカバーは合成樹脂からなることが多く、硬い成形物同士を接合するので、接合部に隙間が生じやすい。従って、スピーカユニットの後ろの空間を密閉し、音声振動により筐体全体が振動源となってビビリ音が発生するのを抑制するために、筐体の接合の端縁部を不織布等の緩衝材で覆うことが多い。
【０００５】
特許文献１には、スピーカユニット取付板に未貫通孔を有し、スピーカグリルに設けられたボスにキャッチャが圧入された状態で、ボスが未貫通孔に挿入され、スピーカユニット取付板の上端縁部及び下端縁部が、リアカバーの上端縁部とその内側に設けられたリブとの間、及び下端縁部とその内側に設けられたリブとの間に夫々挟持されることにより、スピーカグリルがリアカバーに取り付けられるように構成したスピーカ部の発明が開示されている。
【０００６】
図１９は、他の従来のスピーカ部１８を示す模式的断面図である。
スピーカ部１８のフロントカバー５は、スピーカグリル部５０と、テーパ部５１３と、背面支持部５２と、底面支持部５３とを備える。
曲面状をなすスピーカグリル部５０は正面側に配されている。底面支持部５３は前後方向に延び、前側端部に設けられた鉤状の係止部５３４によりスピーカグリル部５０の上端縁部に係止されており、表示モジュールの底面を支持する。
【０００７】
背面支持部５２は底面支持部５３の後端部に垂直に設けられており、表示モジュールの背面を支持する。背面支持部５２の背面の下部には、後側に突出する突起部５３３が設けられている。
テーパ部５１３は、前側端縁部に設けられた鉤状の係止部５２３によりスピーカグリル部５０の下端縁部に係止されている。
突起部５３３の後端部、及びテーパ部５１３の後端部には、枠状をなし、後側に突出する突出部５２４が設けられている。突出部５２４は例えば不織布等の緩衝材５２５により覆われている。
【０００８】
リアカバー７は箱状をなし、上板部の端縁部７８の内側にリブ７９が設けられ、下板部の端縁部８０の内側にリブ８１が設けられている。
リアカバー７の内側にスピーカユニット７３を収納した状態で、リアカバー７の上板部の端縁部７８とリブ７９との間、及び下板部の端縁部８０とリブ８１との間に、緩衝材５２５に覆われた突出部５２４を挟持することにより、フロントカバー５がリアカバー７に接合される。
【先行技術文献】
【特許文献】
【０００９】
【特許文献１】特開２００９−１０６４１号公報
【発明の概要】
【発明が解決しようとする課題】
【００１０】
特許文献１のスピーカ部及び図１９のスピーカ部１８のいずれの場合も、リアカバーの上板部及び下板部に太いリブ７９、８１等を設ける必要があり、この部分の外側にヒケが生じて外観品位が低下するという問題があった。
【００１１】
スピーカ部１８の場合、スピーカユニット７３は後側に配されており、リアカバー７のリブ８１がスピーカユニット７３のシール材に当接してシール材を剥がすのを防止するために、フロントカバー５のテーパ部５１３を長くし、突出部５２４をスピーカユニット７３の正面より後側に突出させ、リブ８１が前記シール部材に当接する前に、端縁部８０とリブ８１との間に突出部５２４が嵌合するように構成されている。
このため、スピーカグリル部５０及びテーパ部５１３は長い曲面状をなしているが、意匠上、曲面形状は好ましくなく、成形加工性及び組み立ての作業性が悪いという問題があった。
そして、スピーカ部１８の前後方向及び上下方向の寸法が大きくなるという問題があった。
【００１２】
本発明は斯かる事情に鑑みてなされたものであり、固定強度を維持した状態で、成形加工性、組み立ての作業性、及び意匠性が良好であり、ヒケが生じないので外観品位が良好であり、小型化が可能である表示装置、及び該表示装置を備えるＴＶ受信機を提供することを目的とする。
【課題を解決するための手段】
【００１３】
本発明に係る表示装置は、前側に表示面を有する表示部と、前側筒半体並びに後側筒半体の上側及び下側の端縁部同士が接合されて、軸方向が横方向に一致する筒状をなし、スピーカを内蔵したスピーカ部とを備える表示装置において、前記前側筒半体の一方の前記端縁部の内側に、該端縁部との間で、前記後側筒半体の対応する端縁部を挟持する複数の突起部を備えることを特徴とする。
【００１４】
本発明に係る表示装置は、前記前側筒半体の他方の前記端縁部の内側に、該端縁部との間で前記後側筒半体の対応する端縁部を挟持する複数の突起部を備えることを特徴とする。
【００１５】
本発明に係る表示装置は、前記後側筒半体は、内側に前記スピーカを収納する枠状の収納部を備え、該収納部の縁部は、前記前側筒半体側に突出しており、前記前側筒半体の両端縁部と各突起部との間に、前記縁部を挟持してあることを特徴とする。
【００１６】
本発明に係る表示装置は、緩衝材が前記縁部を被覆していることを特徴とする。
【００１７】
本発明に係るＴＶ受信機は、上述のいずれかの表示装置と、テレビジョン放送を受信する受信部とを備え、前記受信部にて受信したテレビジョン放送に基づいて、前記表示装置に映像を表示するようにしてあることを特徴とする。
【発明の効果】
【００１８】
本発明の表示装置によれば、前側筒半体の一方の端縁部の内側に、該端縁部との間で、後側筒半体の対応する端縁部を挟持する複数の突起部を備えるので、従来のスピーカ部のように後側筒半体に突起部を設ける場合と異なり、ヒケが外面に生じることが抑制されており、外観品位が良好である。固定強度は維持されている。そして、スピーカのシール材を剥がすことがなく、前側筒半体を直線状に形成することができ、成形加工性、組み立ての作業性、及び意匠性が良好であり、スピーカ部の上下寸法及び前後寸法を小さくすることができる。
【図面の簡単な説明】
【００１９】
【図１】本発明の実施の形態１に係るＴＶ受信機の外観斜視図である。
【図２】本発明の実施の形態１に係るＴＶ受信機の背面図である。
【図３】本発明の実施の形態１に係るＴＶ受信機の側面図である。
【図４】本発明の実施の形態１に係るＴＶ受信機の下部の断面図である。
【図５】フロントカバーを正面側から見た状態を示す斜視図である。
【図６】フロントカバーの正面図である。
【図７】フロントカバーを背面側から見た状態を示す斜視図である。
【図８】図７の一部拡大図である。
【図９】リアカバーをＴＶ受信機の正面側から見た状態を示す斜視図である。
【図１０】図９の一部拡大図である。
【図１１】リアカバーを背面側から見た状態を示す斜視図である。
【図１２】フロントカバーにデコレーションプレートを取り付け、ＳＰ（スピーカ）シートを貼付し、スピーカユニットを内蔵してフロントカバーにリアカバーを接合した状態を示す斜視図である。
【図１３】前記状態を示す正面図である。
【図１４】図１３のXIV-XIV 線断面図である。
【図１５】図１３のXV−XV線断面図である。
【図１６】ＳＰシートの正面図である。
【図１７】本発明の実施の形態２に係るスピーカ部を示す模式的断面図である。
【図１８】本発明の実施の形態３に係るスピーカ部を示す模式的断面図である。
【図１９】他の従来のスピーカ部を示す模式的断面図である。
【発明を実施するための形態】
【００２０】
以下、本発明をその実施の形態を示す図面に基づいて具体的に説明する。
実施の形態１．
図１は本発明の実施の形態１に係るＴＶ受信機１の外観斜視図、図２はＴＶ受信機１の背面図、図３はＴＶ受信機１の側面図、図４はＴＶ受信機１の下部の断面図である。
【００２１】
ＴＶ受信機１は、表示パネル２１を有する表示モジュール２と、該表示モジュール２を挟むようにして収容するフロントキャビネット３及びリアキャビネット４と、アンテナ（不図示）から放送波を受信するチューナ９と、符号化された放送波を復号するデコーダ１０と、表示モジュール２の下側に取り付けられたスピーカ部（スピーカボックス）１５と、スタンド１１，１１とを備える。
【００２２】
表示モジュール２は、全体として横長の略直方体状をなし、縦姿勢でフロントキャビネット３及びリアキャビネット４内に収容されている。フロントキャビネット３は矩形枠状をなす。リアキャビネット４は、表示モジュール２の側面及び背面を覆うように箱状をなしている。リアキャビネット４には、複数の放熱スリット４０が設けられている。
スピーカ部１５は表示モジュール２と同一の横幅を有する。スタンド１１は、前後方向に延びる足部１１１と、足部１１１に垂直に設けられた支持軸１１２とを備える（図２参照）。表示モジュール２、スピーカ部１５、及びスタンド１１，１１は、互いにネジ等によって一体に結合されている。
【００２３】
図４に示すように、表示モジュール２は、表示パネル２１と、例えば３枚の光学シート２２と、導光板２３と、ＬＥＤ基板２４と、ヒートスプレッダ２５と、ＢＬ（バックライト）シャーシ２６とを備える。
【００２４】
ＢＬシャーシ２６は、表示パネル２１側が開口された略箱状をなす。ＢＬシャーシ２６に、導光板２３、ＬＥＤ基板２４、及びヒートスプレッダ２５が収納されている。ＢＬシャーシ２６の裏面に、前記チューナ９、デコーダ１０、及びＣＰＵ等を備えるメイン基板（不図示）が設けられている。
導光板２３の正面側に、光学シート２２、及び表示パネル２１が配されている。
【００２５】
導光板２３は矩形板状をなし、下記ＬＥＤからの光が下側の長側面に導入され、該光は導光板２３の主面から表示パネル２１側に向かって出射する。
ＬＥＤ基板２４は基板本体の平面に、複数のＬＥＤを実装してなり、導光板２３の前記長側面側に配されている。
【００２６】
ヒートスプレッダ２５は側面視でＬ字状をなし、ＬＥＤ基板２４が取り付けられる取付部と、ＢＬシャーシ２６の底板の内面に当接される当接部とを備える。
表示パネル２１は、カラーフィルタ基板と、液晶層と、ＴＦＴ基板と、２枚の偏光板とを有する。カラーフィルタ基板とＴＦＴ基板とはシール材を挟んで互いに貼り合わされており、その間に液晶層が注入されている。
【００２７】
スピーカ部１５は、フロントカバー５と、ＳＰシート６と、リアカバー７と、デコレーションプレート８と、スピーカユニット７３（図１４参照）とを備える。
フロントカバー５の箱部５１は側面視が縦置きの台形状をなし、上部にデコレーションプレート８が取り付けられ、正面側の垂直な面にＳＰシート６が貼付されている。リアカバー７は角箱状をなす。フロントカバー５、ＳＰシート６、及びリアカバー７は合成樹脂製であり、デコレーションプレート８は例えばアルミニウム等の金属製である。
【００２８】
以下、スピーカ部１５について詳述する。
図５はフロントカバー５を正面側から見た状態を示す斜視図、図６はフロントカバー５の正面図、図７はフロントカバー５を背面側から見た状態を示す斜視図、図８は図７の一部拡大図、図９はリアカバー７をＴＶ受信機１の正面側から見た状態を示す斜視図、図１０は図９の一部拡大図、図１１はリアカバー７を背面側から見た状態を示す斜視図、図１２はフロントカバー５にデコレーションプレート８を取り付け、ＳＰシート６を貼付し、スピーカユニット７３を内蔵してフロントカバー５にリアカバー７を接合した状態を示す斜視図、図１３は前記状態を示す正面図、図１４は図１３のXIV-XIV 線断面図、図１５は図１３のXV−XV線断面図、図１６はＳＰシート６を示す正面図である。
【００２９】
フロントカバー５は、箱部５１と、箱部５１の上側に設けられた底面支持部５３と、底面支持部５３に垂直に設けられた背面支持部５２とを備える。底面支持部５３は、表示モジュール２の底面を支持する平面部５３１と、平面部に連設され、曲面状をなし、後述するテーパ部５１２に連結された曲面部５３２とを有する（図４参照）。
背面支持部５２は表示モジュール２の背面を支持する。
【００３０】
箱部５１は、上下寸法が正面側に向かって漸次的に小さくなるように、上下にテーパ部５１２，５１３を有する。テーパ部５１２及び５１３の間には、垂直な方向に設けられたシート貼付部５１４を有する。すなわち、上述したように箱部５１は側面視が台形状をなす。テーパ部５１２は、曲面部５３２に連結するように垂直に設けられた連結部５１５、及びシート貼付部５１４に連結するように設けられ、平面部及び側面部を有する段部５１０を備える。
連結部５１５には、上下方向の中央部に、長手方向に沿って複数のリブ５５が並設されている。テーパ部５１３の下端部寄りには、長手方向に沿って複数のリブ５６が並設されている。
【００３１】
段部５１０の平面部の長手方向の中央部には、該平面部と同一の奥行長さを有した状態で下側に凹み、かつ正面側に開口した凹部５１１が設けられている。
【００３２】
図７及び８に示すように、シート貼付部５１４の裏面の中央部寄り、及び両端部寄りには、４つのリブ５４が設けられている。端部側のリブ５４に隣接して第１枠部５８が設けられ、第１枠部５８に隣接して第２枠部５７が設けられている。第２枠部５７の上板部はテーパ部５１２と共通し、第２枠部５７の下板部の根元部はテーパ部５１３に繋がっている。第１枠部５８の正面側には２つの窓部６０が設けられ、第２枠部５７の正面側には５つの窓部５９が設けられている。
第１枠部５７の下側においては、リブ５６の上部は第１枠部５７の下板部の下面と繋がっている。
【００３３】
図９及び１０に示すように、リアカバー７は、２つの枠状の収納部７１を有する。収納部７１の端縁部は、フロントカバー５側に突出しており、合成樹脂製の緩衝材７２より覆われている。
図１１に示すように、リアカバー７の背面の両端部側には凹部７０が設けられている。凹部７０にスタンド１１の支持軸１１２が嵌められるように構成されている。
【００３４】
図１４に示すように、テーパ部５１２の連結部５１５の端縁部５１６とリブ５５との間に、緩衝材７２で被覆された収納部７１の端縁部を挟持し、テーパ部５１３の端縁部５１７とリブ５６との間に、緩衝材７２で被覆された収納部７１の端縁部を挟持することにより、フロントカバー５とリアカバー７とが接合されている。
【００３５】
図１５に示すように、デコレーションプレート８を取り付けた後のテーパ部５１２の段部５１０の凹部５１１に、後述する凸部６１１を挿入して位置決めされた状態で、シート貼付部５１４にＳＰシート６が貼付されている。
【００３６】
デコレーションプレート８は細長い矩形状をなし、図１４及び図１５に示すように、下端部に全長に亘って設けられた鉤状の係止部８１と、上端部の複数箇所に、面方向に突出するように設けられた爪部８２とを有する。爪部８２は根元側に嵌合穴（不図示）を有する。連結部５１５には、爪部８２に対応する位置に挿通孔５２０（図７参照）が設けられている。挿通孔５２０は上縁部に、前記嵌合穴に係止される凸部５２１を有する。
【００３７】
図１６に示すように、ＳＰシート６のシート６１は短冊状をなし、シート６１のシート貼付部５１４側の面に両面テープからなる接着層６２が設けられ、接着層６２には剥離紙６３が接着されている。
シート６１には、上縁の長手方向の中央部から外側（上側）へ突出し、凹部５１１に挿入される凸部６１１が一体に設けられている。シート６１の、窓部５９,６０に対応する位置には、細かい網目状をなし、窓部５９,６０を覆う被覆部６１２，６１２が設けられている。
凸部６１１の横幅は、凹部５１１の横幅より少し小さい。
【００３８】
剥離紙６３には、上縁の一部から外側（上側）へ突出し、凸部６１１に重ね合わされる凸部６３１と、下縁の一部から外側（下側）へ突出した摘み片６３２，６３２とが一体に設けられている。
摘み片６３２，６３２は凸部６３１から若干横方向へ離隔した部分に配されている。
剥離紙６３の摘み片６３２，６３２間の部分には、幅方向の両縁に亘るスリット（不図示）が設けられている。一方の摘み片６３２を摘んで、剥離紙６３の凸部６３１が設けられている側の部分を剥離し、他方の摘み片６３２を摘んで剥離紙６３の他側部分を剥離することができるように構成されている。
【００３９】
図１５に示すように、シート６の凸部６１１の内側端部には、接着層６２に到達しない状態で切れ目（ハーフカット）６１３が設けられ、剥離紙６３の凸部６３１の内側端部には、切れ目６１３から凸部６３１の先端方向に偏位した状態で、切れ目６３６（ハーフカット）が設けられている。
切れ目６１３により凸部６１１を容易に直角に折り曲げることができるとともに、切れ目６１３と切れ目６３６とがずれているので、凸部６１１及び凸部６３１が切れることがないように構成されている。
【００４０】
以下に、スピーカ部１５の組み立てについて説明する。
まず、フロントカバー５の連結部５１５の凸部５２１をデコレーションプレート８の爪部８２の嵌合穴に内嵌した状態で、爪部８２を挿通孔５２０に挿通させ、係止部８１を段部５１０の側面に係止させて、デコレーションプレート８をテーパ部５１２に取り付ける。
【００４１】
そして、ＳＰシート６をシート貼付部５１４に貼付する。
ＳＰシート６をシート貼付部５１４に貼付する場合、凸部６３１が接着された状態で、凸部６１１をＳＰシート６の厚み方向に折り曲げ、すなわちＳＰシート６の平面に直交する方向に折り曲げ、デコレーションプレート８が取り付けられたテーパ部５１２の凹部５１１に挿入しつつ、摘み片６３２を摘んで、剥離紙６３の凸部６３１以外の部分を接着層６２から剥離し、凸部６３１が残った状態の凸部６１１を凹部５１１に係止する。
この凸部６１１の凹部５１１への係止により、ＳＰシート６がシート貼付部５１４の長手方向の中央部に位置決めされる。この状態で、切れ目６１３をデコレーションプレート８の下端部に当てながら（図１５参照）、ＳＰシート６をシート貼付部５１４に貼付する。
【００４２】
次いで、リアカバー７の収納部７１にスピーカユニット７３を収納した状態で、フロントカバー５のテーパ部５１２の端縁部５１６とリブ５５との間、及びテーパ部５１３の端縁部５１７とリブ５６との間に、緩衝材７２が被覆された収納部７１の周縁部を差し込み、端縁部５１６とリブ５５との間、及び端縁部５１７とリブ５６との間に前記周縁部を挟持し、フロントカバー５にリアカバー７を接合する。
【００４３】
本実施の形態のＴＶ受信機１のスピーカ部１５は、以上のように構成されており、フロントカバー５のテーパ部５１２，５１３の端縁部の内側にリブ５５，５６を有し、端縁部５１６とリブ５５との間、及び端縁部５１７とリブ５６との間に夫々、緩衝材７２で覆われた収納部７１の縁部を挟持するので、従来のスピーカ部のようにリアカバー７にリブを設ける場合と異なり、ヒケが外面に生じるのが抑制されており、外観品位が良好である。固定強度は維持され、ビビリ音の発生が抑制されている。収納部７１の突出した縁部を緩衝材７２で覆うので、緩衝材７２を覆い易く、緩衝材７２を覆う部分の面積を低減することができ、作業性が良好である。
【００４４】
そして、スピーカユニット７３のシール材を剥がすことがなく、フロントカバー５を直線状に形成することができ、成形加工性、組み立ての作業性、及び意匠性が良好である。また、下側のテーパ部５１３の長さを短くすることができ、スピーカ部１５の上下寸法及び前後寸法を小さくすることができる。
【００４５】
実施の形態２．
本発明の実施の形態２に係るＴＶ受信機は、スピーカ部１６の構成が異なること以外は実施の形態１に係るＴＶ受信機１と同様の構成を有する。
図１７は、本発明の実施の形態２に係るスピーカ部１６を示す模式的断面図である。図中、図１４と同一部分は同一符号を付して詳細な説明を省略する。
【００４６】
スピーカ部１６のフロントカバー５とリアカバー７の下側の端縁部同士の接合構造は、スピーカ部１５の該端縁部同士の接合構造と同一であり、スピーカ部１６の上側の端縁部同士の接合構造は、スピーカ部１５の該端縁部同士の接合構造と異なる。
【００４７】
フロントカバー５の連結部５１５の背面の上縁部には、リアカバー７側に突出する突起部５１８が設けられている。突起部５１８の先端部は、例えば不織布等からなる緩衝材５１９により覆われている。
【００４８】
リアカバー７の上板部の端縁部７４の内側には複数のリブ７５が長手方向に並設されている。
このリアカバー７の上板部の端縁部７４とリブ７５との間に、緩衝材５１９に覆われた突起部５１８が挟持されている。
【００４９】
本実施の形態においては、リアカバー７の収納部７１にスピーカユニット７３を収納した状態で、端縁部７４とリブ７５との間に、緩衝材５１９に覆われた突起部５１８の先端部を挟持し、端縁部５１７とリブ５６との間に、緩衝材７２が被覆された収納部７１の端縁部を挟持して、フロントカバー５にリアカバー７を接合する。
【００５０】
本実施の形態においては、リアカバー７の下板部の外面にヒケが生じることがなく、外観品位が良好である。そして、スピーカユニット７３のシール材を剥がすことがないので、フロントカバー５を直線状に形成することができ、成形加工性、組み立ての作業性、及び意匠性が良好であり、スピーカ部１６の上下寸法及び前後寸法を小さくすることができる。
【００５１】
実施の形態３．
本発明の実施の形態３に係るＴＶ受信機は、スピーカ部１７の構成が異なること以外は実施の形態１に係るＴＶ受信機１と同様の構成を有する。
図１８は、本発明の実施の形態３に係るスピーカ部１７を示す模式的断面図である。図中、図１４と同一部分は同一符号を付して詳細な説明を省略する。
【００５２】
スピーカ部１７のフロントカバー５とリアカバー７の下側の端縁部同士の接合構造は、スピーカ部１５の該端縁部同士の接合構造と同一であり、スピーカ部１７の上側の端縁部同士の接合構造は、スピーカ部１５の該端縁部同士の接合構造と異なる。
【００５３】
スピーカ部１７のフロントカバー５の連結部５１の上端部には後方に突出する突出部５２２が設けられている。
リアカバー７の上板部の端縁部７６は緩衝材７７により覆われている。
【００５４】
本実施の形態においては、リアカバー７の収納部７１にスピーカユニット７３を収納した状態で、端縁部５１７とリブ５６との間に、緩衝材７２で覆われた収納部７１の縁部を挟持し、リアカバー７の端縁部７６を撓ませて突出部５２２に係止することにより、リアカバー７がフロントカバー５に接合される。
【００５５】
本実施の形態においては、リアカバー７の下板部の外面にヒケが生じることがなく、外観品位が良好である。そして、スピーカユニット７３のシール材を剥がすことがなく、フロントカバー５を直線状に形成することができ、成形加工性、組み立ての作業性、及び意匠性が良好であり、スピーカ部１７の上下寸法及び前後寸法を小さくすることができる。
【００５６】
以上のように構成された本発明の表示装置（１）は、前側に表示面を有する表示部（２）と、前側筒半体（５）並びに後側筒半体（７）の上側及び下側の端縁部同士が接合されて、軸方向が横方向に一致する筒状をなし、スピーカ（７３）を内蔵したスピーカ部（１５、１６、１７）とを備える表示装置において、前記前側筒半体の一方の前記端縁部（５１６、５１７）の内側に、該端縁部との間で、前記後側筒半体の対応する端縁部（７１）を挟持する複数の突起部（５５、５６）を備えることを特徴とする。
【００５７】
本発明においては、突起部を前側筒半体に有するので、従来のスピーカ部のように後側筒半体に突起部を設ける場合と異なり、ヒケが外面に生じることが抑制されており、外観品位が良好である。そして、固定強度は維持されている。また、スピーカユニットのシール材を剥がすことがなく、前側筒半体を直線状に形成することができ、成形加工性、組み立ての作業性、及び意匠性が良好であり、スピーカ部の上下寸法及び前後寸法を小さくすることができる。
【００５８】
本発明の表示装置は、前記前側筒半体の他方の前記端縁部の内側に、該端縁部との間で前記後側筒半体の対応する端縁部を挟持する複数の突起部を備えることを特徴とする。
【００５９】
本発明においては、より成形加工性、組み立ての作業性、意匠性、及び外観品位が良好であり、スピーカ部の上下寸法及び前後寸法をより小さくすることができる。
【００６０】
本発明の表示装置は、前記後側筒半体は、内側に前記スピーカを収納する枠状の収納部（７１）を備え、該収納部の縁部は、前記前側筒半体側に突出しており、前記前側筒半体の両端縁部（５１６、５１７）と各突起部（５５、５６）との間に、前記縁部を挟持してあることを特徴とする。
【００６１】
本発明においては、後側筒半体を前側筒半体に、容易に確実に接合することができ、密閉性が良好であり、ビビリ音の発生を抑制することができる。
【００６２】
本発明の表示装置は、緩衝材（７２）が前記縁部を被覆していることを特徴とする。
【００６３】
本発明においては、ビビリ音の発生をより抑制することができる。
そして、前記収納部の突出した縁部を緩衝材で覆うので、緩衝材を覆い易く、緩衝材を覆う部分の面積を低減することができ、作業性が良好である。
【００６４】
本発明の表示装置は、前側筒半体が側面視で縦置きの台形状をなすことを特徴とする。      
【００６５】
本発明においては、意匠性、成形加工性、及び組み立ての作業性がより良好であり、スピーカ部をよりコンパクトにすることができる。
【００６６】
本発明の表示装置は、台形状の前側筒半体のテーパ部（５１２、５１３）の端縁部が後側筒半体側に突出しており、該端縁部に略平行に突起部（５５、５６）が設けられていることを特徴とする。
【００６７】
本発明においては、簡単な構成で、前側筒半体を後側筒半体に確実に接合することができる。
【００６８】
本発明のＴＶ受信機（１）は、上述のいずれかの表示装置と、テレビジョン放送を受信する受信部（９）とを備え、前記受信部にて受信したテレビジョン放送に基づいて、前記表示装置に映像を表示するようにしてあることを特徴とする。
【００６９】
本発明においては、成形加工性、組み立ての作業性、及び外観品位が良好である。
【００７０】
本発明は上述した実施の形態の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
例えば表示装置は、液晶表示装置に限定されるものではなく、ＴＶ受信機は液晶ＴＶ受信機に限定されるものではない。
【符号の説明】
【００７１】
１  ＴＶ受像機
２  表示モジュール
２１  表示パネル
３  フロントキャビネット
４  リアキャビネット
５  フロントカバー
５１  箱部
５１０  段部
５１１  凹部
５１２、５１３  テーパ部
５１４  シート貼付部
５１５  連結部
５１６、５１７  端縁部
５１８  突起部
５１９  緩衝材
５２２  突出部
５２  背面支持部
５３  底面支持部
５５、５６  リブ
５９、６０  窓部
６  ＳＰシート
６１  シート
６１１  凸部
６１２  被覆部
６１３、６３６  切れ目
６２  接着層
６３  剥離紙
６３１  凸部
６３２  摘み片
７  リアカバー
７１  収納部
７２、７７  緩衝材
７３  スピーカユニット
７４、７６  端縁部
７５  リブ
８  デコレーションプレート
９  チューナ
１０  デコーダ
１５、１６、１７  スピーカ部
【図１】
2016066952.tif 000003
【図２】
2016066952.tif 000004
【図３】
2016066952.tif 000005
【図４】
2016066952.tif 000006
【図５】
2016066952.tif 000007
【図６】
2016066952.tif 000008
【図７】
2016066952.tif 000009
【図８】
2016066952.tif 000010
【図９】
2016066952.tif 000011
【図１０】
2016066952.tif 000012
【図１１】
2016066952.tif 000013
【図１２】
2016066952.tif 000014
【図１３】
2016066952.tif 000015
【図１４】
2016066952.tif 000016
【図１５】
2016066952.tif 000017
【図１６】
2016066952.tif 000018
【図１７】
2016066952.tif 000019
【図１８】
2016066952.tif 000020
【図１９】
2016066952.tif 000021